(57)【要約】【課題】  記録媒体に記録された音声ファイル、静止画ファイルが入っている音声フォルダ、静止画フォルダを選択して、音声フォルダ、静止画フォルダ内の音声ファイルと静止画ファイルとを同時再生することができるようにする。【解決手段】  記録媒体に記録された音声ファイル、静止画ファイルが入っている音声フォルダ、静止画フォルダを読み出して、読み出された音声フォルダ一覧、静止画フォルダ一覧を左画面に表示し、左画面に表示された音声フォルダ一覧、静止画フォルダ一覧の音声フォルダ、静止画フォルダを選択して、選択された音声フォルダ、静止画フォルダを右画面に表示し、選択された音声フォルダ、静止画フォルダ内の音声ファイルと静止画ファイルとを同時再生するようにする。【選択図】        図３
2006179068.tif 000002
【特許請求の範囲】
【請求項１】
光ディスクに記録されたＭＰ３ファイル、ＪＰＥＧファイルを再生するディスク再生装置であって、
光ディスクに記録されたＭＰ３ファイル、ＪＰＥＧファイルが入っているＭＰ３フォルダ、ＪＰＥＧフォルダを読み出す読出手段と、前記読出手段により読み出されたＭＰ３フォルダ一覧、ＪＰＥＧフォルダ一覧を左画面に表示する第１の表示手段と、前記第１の表示手段により表示されたＭＰ３フォルダ一覧、ＪＰＥＧフォルダ一覧のＭＰ３フォルダ、ＪＰＥＧフォルダを選択する第１の選択手段と、前記第１の選択手段により選択されたＭＰ３フォルダ、ＪＰＥＧフォルダを右画面に表示する第２の表示手段と、前記第２の表示手段により表示されたＭＰ３フォルダ、ＪＰＥＧフォルダを選択する第２の選択手段と、前記第２の選択手段により選択されたＭＰ３フォルダ、ＪＰＥＧフォルダ内のＭＰ３ファイル、ＪＰＥＧファイルを右画面に表示する第３の表示手段と、前記第３の表示手段により表示されたＭＰ３ファイル、ＪＰＥＧファイルを選択する第３の選択手段と、前記第３の選択手段により選択されたＭＰ３ファイル、ＪＰＥＧファイルを再生リストから削除する削除手段と、前記第１の選択手段により選択されたＭＰ３フォルダ、ＪＰＥＧフォルダ内の前記削除手段により再生リストから削除されていないＭＰ３ファイルとＪＰＥＧファイルとを同時再生する再生手段とを備えたことを特徴とするディスク再生装置。
【請求項２】
音声ファイル、静止画ファイルが記録できる記録媒体に記録された音声ファイル、静止画ファイルを再生する情報再生装置であって、
記録媒体に記録された音声ファイル、静止画ファイルが入っている音声フォルダ、静止画フォルダを読み出す読出手段と、前記読出手段により読み出された音声フォルダ一覧、静止画フォルダ一覧を左画面に表示する第１の表示手段と、前記第１の表示手段により表示された音声フォルダ一覧、静止画フォルダ一覧の音声フォルダ、静止画フォルダを選択する第１の選択手段と、前記第１の選択手段により選択された音声フォルダ、静止画フォルダを右画面に表示する第２の表示手段と、前記第１の選択手段により選択された音声フォルダ、静止画フォルダ内の音声ファイルと静止画ファイルとを同時再生する再生手段とを備えたことを特徴とする情報再生装置。
【請求項３】
前記第２の表示手段により右画面に表示された音声フォルダ、静止画フォルダを選択する第２の選択手段と、前記第２の選択手段により選択された音声フォルダ、静止画フォルダ内の音声ファイル、静止画ファイルを右画面に表示する第３の表示手段とを更に備えたことを特徴とする請求項２記載の情報再生装置。
【請求項４】
前記第３の表示手段により表示された音声ファイル、静止画ファイルを選択する第３の選択手段と、前記第３の選択手段により選択された音声ファイル、静止画ファイルを再生リストから削除する削除手段とを更に備え、
前記再生手段は、前記第１の選択手段により選択された音声フォルダ、静止画フォルダ内の前記削除手段により再生リストから削除されていない音声ファイルと静止画ファイルとを同時再生するようにしたことを特徴とする請求項２記載の情報再生装置。
【発明の詳細な説明】
【技術分野】
【０００１】
本発明は、音声ファイル、静止画ファイルが記録できるＤＶＤ（Ｄｉｇｉｔａｌ  Ｖｅｒｓａｔｉｌｅ  Ｄｉｓｃ）等の記録媒体に記録された情報を再生するディスク再生装置及び情報再生装置に係り、特にＤＶＤ等の記録媒体に記録された音声ファイルと静止画ファイルとを同時再生するディスク再生装置及び情報再生装置に関する。
【背景技術】
【０００２】
従来、ＤＶＤ等の記録媒体に記録されたＭＰ３（Ｍｏｖｉｎｇ  Ｐｉｃｔｕｒｅ  Ｃｏｄｉｎｇ  Ｅｘｐｅｒｔｓ  Ｇｒｏｕｐ  Ａｕｄｉｏ  Ｌａｙｅｒ  ３）ファイル等の音声ファイル、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）ファイル等の静止画ファイルを再生するディスク装置等の情報再生装置は、ユーザが所望する音声ファイル、静止画ファイルを再生することができるようになっている。しかし、ユーザがＭＰ３ファイル等の音声ファイルとＪＰＥＧファイル等の静止画ファイルとを同時再生した場合、ＤＶＤ等の記録媒体に記録された音声ファイルと静止画ファイルとが同時再生されるため、ユーザが所望する音声ファイルと静止画ファイルとを選択して、選択した音声ファイルと静止画ファイルとを同時再生して楽しむことができないという問題点があった。また、光ディスクに記録されたＭＰ３フォルダ等の音声フォルダ、ＪＰＥＧフォルダ等の静止画フォルダを選択して、選択されたフォルダ内の音声ファイルと静止画ファイルとを同時再生することができないという問題点があった。
背景技術としては、管理情報から静止画に対応する静止画番号の表示時刻を取得し、表示時刻を用いてタイムサーチして、静止画を前／次表示、ランダム表示、プログラム表示するようにしたものがあった（例えば、特許文献１参照）。
また、ビデオ、オーディオ、静止画を同時再生するプレイリストをビデオ、オーディオ、静止画の各データとともに同じ記録媒体に記録して、プレイリストに基づいてビデオ、オーディオ、静止画の各データを再生するようにしたものがあった（例えば、特許文献２参照）。
また、音声を再生する曲単位及びその曲以下の再生単位のセルを定義して、曲と画像情報との再生関係のセル情報を記録媒体に記録し、セル情報を含む曲の単位で音声情報を再生するときに、セル情報により画像情報を指定して再生するようにしたものがあった（例えば、特許文献３参照）。
【特許文献１】特開２００３−３３３５０８号公報
【特許文献２】特開２００３−２６４７９３号公報
【特許文献３】特開２００１−１０１８３１号公報
【発明の開示】
【発明が解決しようとする課題】
【０００３】
しかしながら、背景技術で述べたもののうち最初のものにおいては、管理情報から静止画に対応する静止画番号の表示時刻を取得し、表示時刻を用いてタイムサーチして、静止画を前／次表示、ランダム表示、プログラム表示することができたが、スライドショーでシーケンシャルトラックの再生中に、規格に違反せずにユーザが任意に静止画を切り換えることができるようにしたものであって、上記問題点を解決するようにしたものではなかった。
また、次のものにおいては、ビデオ、オーディオ、静止画を同時再生するプレイリストをビデオ、オーディオ、静止画の各データとともに同じ記録媒体に記録して、プレイリストに基づいてビデオ、オーディオ、静止画の各データを再生することができたが、ビデオ、オーディオ、静止画を同時再生するプレイリストをその都度作成して、プレイリストをビデオ、オーディオ、静止画の各データとともに同じ記録媒体に記録しなければならないという問題点があった。
また、更にその次のものにおいては、音声を再生する曲単位及びその曲以下の再生単位のセルを定義して、曲と画像情報との再生関係のセル情報を記録媒体に記録し、セル情報を含む曲の単位で音声情報を再生するときに、セル情報により画像情報を指定して再生することができたが、音声情報を再生するときに再生する画像情報との再生関係のセル情報をその都度作成して、セル情報を音声情報、画像情報とともに記録媒体に記録しなければならないという問題点があった。
本発明は、背景技術の有するこのような問題点に鑑みてなされたものであり、その目的とするところは、ＭＰ３ファイル等の音声ファイル、ＪＰＥＧファイル等の静止画ファイルが記録できるＤＶＤ等の記録媒体に記録された音声ファイル、静止画ファイルが入っている音声フォルダ、静止画フォルダを選択して、音声フォルダ、静止画フォルダ内の音声ファイルと静止画ファイルとを同時再生することができるディスク再生装置及び情報再生装置を提供しようとするものである。
【課題を解決するための手段】
【０００４】
上記目的を達成するため本発明においては、音声ファイル、静止画ファイルが記録できる記録媒体に記録された音声ファイル、静止画ファイルを再生する情報再生装置であって、記録媒体に記録された音声ファイル、静止画ファイルが入っている音声フォルダ、静止画フォルダを読み出す読出手段と、前記読出手段により読み出された音声フォルダ一覧、静止画フォルダ一覧を左画面に表示する第１の表示手段と、前記第１の表示手段により表示された音声フォルダ一覧、静止画フォルダ一覧の音声フォルダ、静止画フォルダを選択する第１の選択手段と、前記第１の選択手段により選択された音声フォルダ、静止画フォルダを右画面に表示する第２の表示手段と、前記第１の選択手段により選択された音声フォルダ、静止画フォルダ内の音声ファイルと静止画ファイルとを同時再生する再生手段とを備える。
更に、前記第２の表示手段により右画面に表示された音声フォルダ、静止画フォルダを選択する第２の選択手段と、前記第２の選択手段により選択された音声フォルダ、静止画フォルダ内の音声ファイル、静止画ファイルを右画面に表示する第３の表示手段とを備える。
更に、前記第３の表示手段により表示された音声ファイル、静止画ファイルを選択する第３の選択手段と、前記第３の選択手段により選択された音声ファイル、静止画ファイルを再生リストから削除する削除手段とを備え、前記再生手段は、前記第１の選択手段により選択された音声フォルダ、静止画フォルダ内の前記削除手段により再生リストから削除されていない音声ファイルと静止画ファイルとを同時再生するようにする。
これらの手段により、ＭＰ３ファイル等の音声ファイル、ＪＰＥＧファイル等の静止画ファイルが記録できるＤＶＤ等の記録媒体に記録された音声ファイル、静止画ファイルが入っている音声フォルダ、静止画フォルダを選択して、音声フォルダ、静止画フォルダ内の音声ファイルと静止画ファイルとを同時再生することができる。
【発明の効果】
【０００５】
請求項１記載の発明に係るディスク再生装置によれば、光ディスクに記録されたＭＰ３ファイル、ＪＰＥＧファイルが入っているＭＰ３フォルダ、ＪＰＥＧフォルダを読み出して、読み出されたＭＰ３フォルダ一覧、ＪＰＥＧフォルダ一覧を左画面に表示し、左画面に表示されたＭＰ３フォルダ一覧、ＪＰＥＧフォルダ一覧のＭＰ３フォルダ、ＪＰＥＧフォルダを選択して、選択されたＭＰ３フォルダ、ＪＰＥＧフォルダを右画面に表示し、右画面に表示されたＭＰ３フォルダ、ＪＰＥＧフォルダを選択して、選択されたＭＰ３フォルダ、ＪＰＥＧフォルダ内のＭＰ３ファイル、ＪＰＥＧファイルを右画面に表示し、右画面に表示されたＭＰ３ファイル、ＪＰＥＧファイルを選択して、選択されたＭＰ３ファイル、ＪＰＥＧファイルを再生リストから削除し、選択されたＭＰ３フォルダ、ＪＰＥＧフォルダ内の再生リストから削除されていないＭＰ３ファイルとＪＰＥＧファイルとを同時再生するようにしているので、光ディスクに記録されたＭＰ３ファイル、ＪＰＥＧファイルが入っているＭＰ３フォルダ、ＪＰＥＧフォルダを選択して、ＭＰ３フォルダ、ＪＰＥＧフォルダ内のＭＰ３ファイルとＪＰＥＧファイルとを同時再生することができ、ＭＰ３フォルダ、ＪＰＥＧフォルダ内の同時再生を所望するＭＰ３ファイル、ＪＰＥＧファイルを選択することができる。
請求項２記載の発明に係る情報再生装置によれば、記録媒体に記録された音声ファイル、静止画ファイルが入っている音声フォルダ、静止画フォルダを読み出して、読み出された音声フォルダ一覧、静止画フォルダ一覧を左画面に表示し、左画面に表示された音声フォルダ一覧、静止画フォルダ一覧の音声フォルダ、静止画フォルダを選択して、選択された音声フォルダ、静止画フォルダを右画面に表示し、選択された音声フォルダ、静止画フォルダ内の音声ファイルと静止画ファイルとを同時再生するようにしているので、記録媒体に記録された音声ファイル、静止画ファイルが入っている音声フォルダ、静止画フォルダを選択して、音声フォルダ、静止画フォルダ内の音声ファイルと静止画ファイルとを同時再生することができる。
請求項３記載の発明に係る情報再生装置によれば、右画面に表示された音声フォルダ、静止画フォルダを選択して、選択された音声フォルダ、静止画フォルダ内の音声ファイル、静止画ファイルを右画面に表示するようにしているので、選択された音声フォルダ、静止画フォルダ内に入っている音声ファイル、静止画ファイルを容易に知ることができる。
請求項４記載の発明に係る情報再生装置によれば、右画面に表示された音声ファイル、静止画ファイルを選択して、選択された音声ファイル、静止画ファイルを再生リストから削除し、選択された音声フォルダ、静止画フォルダ内の再生リストから削除されていない音声ファイルと静止画ファイルとを同時再生するようにしているので、音声フォルダ、静止画フォルダ内の同時再生を所望する音声ファイル、静止画ファイルを選択することができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２は本発明の一実施例のディスク再生装置のリモコン装置を示す説明図であり、図３は本発明の一実施例のディスク再生装置の選択画面の表示例を示す説明図であり、図４は本発明の一実施例のディスク再生装置の動作を示すフローチャートである。
まず、図１の本発明の一実施例のディスク再生装置の構成を示すブロック図を基に説明する。
ディスク再生装置１は、光ディスク２の記録面にレーザ光を照射してその反射光を検出して光ディスク２に記録された情報データを読み出す光ピックアップ３と、光ディスク２を回転させるスピンドルモータ４と、光ピックアップ３を光ディスク２の半径方向に移動させるスレッドモータ５と、スピンドルモータ４を駆動して光ディスク２の回転速度をサーボ制御し、スレッドモータ５の回転方向と回転速度とをサーボ制御し、光ピックアップ３により検出されたトラッキング誤差信号に基づいて光ピックアップ３のトラッキングをサーボ制御し、光ピックアップ３により検出されたフォーカス誤差信号に基づいて光ピックアップ３のフォーカスをサーボ制御するサーボ回路６と、光ピックアップ３により読み出された情報データのＲＦ（Ｒａｄｉｏ  Ｆｒｅｑｕｅｎｃｙ）信号を増幅するＲＦ増幅回路７と、ＲＦ増幅回路７により増幅された情報データのＲＦ信号を基準クロックに基づいて同期検出してアナログ信号の情報データをデジタル信号に変換し、デジタル信号に変換された情報データを復調して、復調された情報データの誤りを訂正するデジタル信号処理回路８と、情報データのビデオ信号、オーディオ信号の各ビットストリームを分離するストリーム分離部９と、所定の圧縮方式、例えば、ＪＰＥＧ方式で圧縮された情報データのビデオ信号を伸長して、元の情報データのビデオ信号に復号するビデオデコーダ１０と、ビデオデコーダ１０により復号されたデジタル信号のビデオ信号を所定の信号方式に従ったビデオ信号、例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式のビデオ信号に符号化して、符号化されたデジタル信号のビデオ信号をアナログ信号に変換するエンコーダ／ＤＡ変換回路１１と、文字情報信号をビデオ信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路１２と、所定の圧縮方式、例えば、ＭＰ３方式で圧縮された情報データのオーディオ信号を伸長して、元のデジタル信号のオーディオ信号に復号するオーディオデコーダ１３と、復号されたデジタル信号のオーディオ信号をアナログ信号に変換してスピーカ４０を駆動するＤＡ変換回路１４と、オーディオ信号を増幅して出力する増幅出力回路１５と、ディスク再生装置１のシステム全体を制御するマイコン１６と、リモコン装置２０から送信された赤外線信号のリモコン信号を受信して、所定の電気信号に変換するリモコン受信部１７とで構成されている。
また、リモコン装置２０には、図２に示すように、メニュ画面の表示を指令するとともに、ＭＰ３フォルダ（音声フォルダ）とＪＰＥＧフォルダ（静止画フォルダ）との表示の切り換えを指令するメニュキー２０ａ、メニュ画面等に表示された選択項目を選択するカーソルキー２０ｂ、カーソルキー２０ｂにより選択された選択項目の選択を決定するエンターキー２０ｃ、カーソルキー２０ｂにより選択されたフォルダ、ファイルを削除するクリアキー２０ｄ、選択画面等の表示を元の画面表示に戻すリターンキー２０ｅ、モニタ装置３０の左画面と右画面との選択を切り換える前スキップキー２０ｆ／次スキップキー２０ｇ、光ディスクの再生を指令する再生キー２０ｈ等の複数の操作キーが設けられていて、それらの操作キーを操作することによりディスク再生装置１を所望動作させることができるようになっている。
以上のように構成されたディスク再生装置について、以下その動作について説明する。
リモコン装置２０のカーソルキー２０ｂとエンターキー２０ｃとの操作によりメニュ画面（図示せず）の同時再生の設定が選択され、リモコン装置２０のメニュキー２０ａの操作によりＭＰ３フォルダの表示が選択されると、マイコン１６は、サーボ回路６に制御信号を送出して、スピンドルモータ４を駆動して光ディスク２を回転させ、スレッドモータ５を駆動して光ピックアップ３を移動させ、光ピックアップ３により光ディスク２に記録されたＭＰ３ファイル（音声ファイル）、ＪＰＥＧファイル（静止画ファイル）が入っているＭＰ３フォルダ（音声フォルダ）、ＪＰＥＧフォルダ（静止画フォルダ）を読み出し、ＯＳＤ回路１２に制御信号を送出して、光ディスク２に記録されたＭＰ３ファイルが入っているＭＰ３フォルダ一覧（音声フォルダ一覧）をモニタ装置３０の画面３０ａの左画面に表示する（図３（ａ）参照）。リモコン装置２０のカーソルキー２０ｂとエンターキー２０ｃとの操作によりモニタ装置３０の画面３０ａの左画面に表示されたＭＰ３フォルダが選択されると、マイコン１６は、ＯＳＤ回路１２に制御信号を送出して、選択されたＭＰ３フォルダをモニタ装置３０の画面３０ａの右画面の選択フォルダリストに表示する（図３（ｂ）参照）。なお、ＪＰＥＧフォルダにＭＰ３ファイルが入っている場合、そのＪＰＥＧフォルダもＭＰ３フォルダ一覧に表示されるようになっている。
リモコン装置２０の次スキップキー２０ｇの操作によりモニタ装置３０の画面３０ａの右画面に表示された選択フォルダリストが選択され、リモコン装置２０のカーソルキー２０ｂとエンターキー２０ｃとの操作によりモニタ装置３０の画面３０ａの右画面に表示されたＭＰ３フォルダ内のＭＰ３ファイルの表示が指令されると、マイコン１６は、ＯＳＤ回路１２に制御信号を送出して、選択されたＭＰ３フォルダ内のＭＰ３ファイルをモニタ装置３０の画面３０ａの右画面に表示する（図３（ｃ）参照）。リモコン装置２０のカーソルキー２０ｂとクリアキー２０ｄとの操作によりモニタ装置３０の画面３０ａの右画面に表示されたＭＰ３ファイルの削除が指令されると、マイコン１６は、ＯＳＤ回路１２に制御信号を送出して、選択されたＭＰ３ファイルを再生リストから削除する。また、リモコン装置２０のリターンキー２０ｅの操作によりＭＰ３ファイルの削除の終了が指令されると、マイコン１６は、ＯＳＤ回路１２に制御信号を送出して、モニタ装置３０の画面３０ａの右画面を選択フォルダリストの表示に戻す（図３（ｂ）参照）。
リモコン装置２０のメニュキー２０ａの操作によりＭＰ３フォルダとＪＰＥＧフォルダとの表示の切り替えが指令されると、マイコン１６は、ＯＳＤ回路１２に制御信号を送出して、光ディスクに記録されたＪＰＥＧファイルが入っているＪＰＥＧフォルダ一覧（静止画フォルダ一覧）をモニタ装置３０の画面３０ａの左画面に表示する（図３（ｄ）参照）。リモコン装置２０のカーソルキー２０ｂとエンターキー２０ｃとの操作によりモニタ装置３０の画面３０ａの左画面に表示されたＪＰＥＧフォルダが選択されると、マイコン１６は、ＯＳＤ回路１２に制御信号を送出して、選択されたＪＰＥＧフォルダをモニタ装置３０の画面３０ａの右画面の選択フォルダリストに表示する（図３（ｅ）参照）。なお、ＭＰ３フォルダにＪＰＥＧファイルが入っている場合、そのＭＰ３フォルダもＪＰＥＧフォルダ一覧に表示されるようになっている。
リモコン装置２０の次スキップキー２０ｇの操作によりモニタ装置３０の画面３０ａの右画面に表示された選択フォルダリストが選択され、リモコン装置２０のカーソルキー２０ｂとエンターキー２０ｃとの操作によりモニタ装置３０の画面３０ａの右画面に表示されたＪＰＥＧフォルダ内のＪＰＥＧファイルの表示が指令されると、マイコン１６は、ＯＳＤ回路１２に制御信号を送出して、選択されたＪＰＥＧフォルダ内のＪＰＥＧファイルをモニタ装置３０の画面３０ａの右画面に表示する（図３（ｆ）参照）。リモコン装置２０のカーソルキー２０ｂとクリアキー２０ｄとの操作によりモニタ装置３０の画面３０ａの右画面に表示されたＪＰＥＧファイルの削除が指令されると、マイコン１６は、ＯＳＤ回路１２に制御信号を送出して、選択されたＪＰＥＧファイルを再生リストから削除する。リモコン装置２０のリターンキー２０ｅの操作によりＪＰＥＧファイルの削除の終了が指令されると、マイコン１６は、ＯＳＤ回路１２に制御信号を送出して、モニタ装置３０の画面３０ａの右画面を選択フォルダリストの表示に戻す（図３（ｂ）参照）。
リモコン装置２０の再生キー２０ｈの操作により選択されたＭＰ３とＪＰＥＧとのフォルダ内のファイルの再生が指令されると、マイコン１６は、サーボ回路６に制御信号を送出して、スピンドルモータ４を駆動して光ディスク２を回転させ、スレッドモータ５を駆動して光ピックアップ３を移動させ、選択されたＭＰ３フォルダ、ＪＰＥＧフォルダ内の再生リストから削除されていないＭＰ３ファイルとＪＰＥＧファイルとを同時再生する。
また、図４の本発明の一実施例のディスク再生装置の動作を示すフローチャートを基に説明する。
リモコン装置のカーソルキーとエンターキーとの操作によりメニュ画面の同時再生の設定が選択され、リモコン装置のメニュキーの操作によりＭＰ３フォルダの表示が選択されると、ステップＳ１からステップＳ２に進み、ステップＳ２で、光ディスクに記録されたＭＰ３ファイルが入っているＭＰ３フォルダ一覧がモニタ装置の左画面に表示され、ステップＳ３に進む。
ステップＳ３で、リモコン装置のカーソルキーとエンターキーとの操作によりモニタ装置の左画面に表示されたＭＰ３フォルダが選択されたか否かが判断され、モニタ装置の左画面に表示されたＭＰ３フォルダが選択された場合、ステップＳ４に進み、モニタ装置の左画面に表示されたＭＰ３フォルダが選択されていない場合、ステップＳ５に進む。
ステップＳ４で、選択されたＭＰ３フォルダがモニタ装置の右画面の選択フォルダリストに表示されて、ステップＳ５に進む。
ステップＳ５で、リモコン装置の次スキップキーの操作によりモニタ装置の右画面に表示された選択フォルダリストが選択され、リモコン装置のカーソルキーとエンターキーとの操作により右画面に表示されたＭＰ３フォルダ内のＭＰ３ファイルの表示が指令されたか否かが判断され、ＭＰ３フォルダ内のＭＰ３ファイルの表示が指令された場合、ステップＳ６に進み、ＭＰ３フォルダ内のＭＰ３ファイルの表示が指令されていない場合、ステップＳ１１に進む。
ステップＳ６で、選択されたＭＰ３フォルダ内のＭＰ３ファイルがモニタ装置の右画面に表示され、ステップＳ７に進む。
ステップＳ７で、リモコン装置のカーソルキーとクリアキーとの操作によりモニタ装置の右画面に表示されたＭＰ３ファイルの削除が指令されたか否かが判断され、ＭＰ３ファイルの削除が指令された場合、ステップＳ８に進み、ＭＰ３ファイルの削除が指令されていない場合、ステップＳ９に進む。
ステップＳ８で、選択されたＭＰ３ファイルが再生リストから削除されて、ステップＳ９に進む。
ステップＳ９で、リモコン装置のリターンキーの操作によりＭＰ３ファイルの削除の終了が指令されたか否かが判断され、ＭＰ３ファイルの削除の終了が指令された場合、ステップＳ１０に進み、ＭＰ３ファイルの削除の終了が指令されていない場合、ステップＳ７に戻って、ステップＳ７からのステップを繰り返す。
ステップＳ１０で、モニタ装置の右画面が選択フォルダリストの表示に戻されて、ステップＳ１１に進む。
ステップＳ１１で、リモコン装置のメニュキーの操作によりＭＰ３フォルダとＪＰＥＧフォルダとの表示の切り替えが指令されたか否かが判断され、ＭＰ３フォルダとＪＰＥＧフォルダとの表示の切り替えが指令された場合、ステップＳ１２に進み、ＭＰ３フォルダとＪＰＥＧフォルダとの表示の切り替えが指令されていない場合、ステップＳ３に戻って、ステップＳ３からのステップを繰り返す。
ステップＳ１２で、光ディスクに記録されたＪＰＥＧファイルが入っているＪＰＥＧフォルダ一覧がモニタ装置の左画面に表示され、ステップＳ１３に進む。
ステップＳ１３で、リモコン装置のカーソルキーとエンターキーとの操作によりモニタ装置の左画面に表示されたＪＰＥＧフォルダが選択されたか否かが判断され、モニタ装置の左画面に表示されたＪＰＥＧフォルダが選択された場合、ステップＳ１４に進み、モニタ装置の左画面に表示されたＪＰＥＧフォルダが選択されていない場合、ステップＳ１５に進む。
ステップＳ１４で、選択されたＪＰＥＧフォルダがモニタ装置の右画面の選択フォルダリストに表示されて、ステップＳ１５に進む。
ステップＳ１５で、リモコン装置の次スキップキーの操作によりモニタ装置の右画面に表示された選択フォルダリストが選択され、リモコン装置のカーソルキーとエンターキーとの操作により右画面に表示されたＪＰＥＧフォルダ内のＪＰＥＧファイルの表示が指令されたか否かが判断され、ＪＰＥＧフォルダ内のＪＰＥＧファイルの表示が指令された場合、ステップＳ１６に進み、ＪＰＥＧフォルダ内のＪＰＥＧファイルの表示が指令されていない場合、ステップＳ１１１に進む。
ステップＳ１６で、選択されたＪＰＥＧフォルダ内のＪＰＥＧファイルがモニタ装置の右画面に表示され、ステップＳ１７に進む。
ステップＳ１７で、リモコン装置のカーソルキーとクリアキーとの操作によりモニタ装置の右画面に表示されたＪＰＥＧファイルの削除が指令されたか否かが判断され、ＪＰＥＧファイルの削除が指令された場合、ステップＳ１８に進み、ＪＰＥＧファイルの削除が指令されていない場合、ステップＳ１９に進む。
ステップＳ１８で、選択されたＪＰＥＧファイルが再生リストから削除されて、ステップＳ１９に進む。
ステップＳ１９で、リモコン装置のリターンキーの操作によりＪＰＥＧファイルの削除の終了が指令されたか否かが判断され、ＪＰＥＧファイルの削除の終了が指令された場合、ステップＳ２０に進み、ＪＰＥＧファイルの削除の終了が指令されていない場合、ステップＳ１７に戻って、ステップＳ１７からのステップを繰り返す。
ステップＳ２０で、モニタ装置の右画面が選択フォルダリストの表示に戻されて、ステップＳ２１に進む。
ステップＳ２１で、リモコン装置の再生キーの操作により再生が指令されたか否かが判断され、再生が指令された場合、ステップＳ２２に進み、再生が指令されていない場合、ステップＳ１３に戻って、ステップＳ１３からのステップを繰り返す。
ステップＳ２２で、選択されたＭＰ３フォルダ、ＪＰＥＧフォルダ内の再生リストから削除されていないＭＰ３ファイルとＪＰＥＧファイルとが同時再生されて処理を終了する。
以上、本発明を実施するための最良の形態について詳述したが、本発明はこれに限定されるものではなく、当業者の通常の知識の範囲内でその変形や改良が可能である。例えば、光ディスクに記録されたＭＰ３フォルダ、ＪＰＥＧフォルダを選択して、ＭＰ３ファイルとＪＰＥＧファイルとを同時再生するディスク再生装置について説明したが、本発明は、光ディスクに限定されるものではなく、ＭＰ３ファイル等の音声ファイル、ＪＰＥＧファイル等の静止画ファイルが記録できるメモリカード等の記録媒体に記録された音声ファイル、静止画ファイルを同時再生する情報再生装置であってもよい。
また、先にＭＰ３フォルダを選択して、次にＪＰＥＧフォルダを選択することを説明したが、先にＪＰＥＧフォルダを選択して、次にＭＰ３フォルダを選択するようにしてもよい。
また、選択された再生リスト中のフォルダ内のファイル一覧から再生を所望しないファイルを削除することを説明したが、選択された再生リスト中のフォルダ内のファイル一覧から再生を所望するファイルを選択するようにしてもよい。
【図面の簡単な説明】
【０００７】
【図１】本発明の一実施例のディスク再生装置の構成を示すブロック図である。
【図２】本発明の一実施例のディスク再生装置のリモコン装置を示す説明図である。
【図３】本発明の一実施例のディスク再生装置の選択画面の表示例を示す説明図である。
【図４】本発明の一実施例のディスク再生装置の動作を示すフローチャートである。
【符号の説明】
【０００８】
１  ディスク再生装置
２  光ディスク
３  光ピックアップ
４  スピンドルモータ
５  スレッドモータ
６  サーボ回路
７  ＲＦ増幅回路
８  デジタル信号処理回路
９  ストリーム分離部
１０  ビデオデコーダ
１１  エンコーダ／ＤＡ変換回路
１２  ＯＳＤ回路
１３  オーディオデコーダ
１４  ＤＡ変換回路
１５  増幅出力回路
１６  マイコン
１７  リモコン受信部
２０  リモコン装置
２０ａ  メニュキー
２０ｂ  カーソルキー
２０ｃ  エンターキー
２０ｄ  クリアキー
２０ｅ  リターンキー
２０ｆ  前スキップキー
２０ｇ  次スキップキー
２０ｈ  再生キー
３０  モニタ装置
３０ａ  画面
４０  スピーカ
【図１】
2006179068.tif 000003
【図２】
2006179068.tif 000004
【図３】
2006179068.tif 000005
【図４】
2006179068.tif 000006